(57)【特許請求の範囲】
【請求項１】
電池を電源として作動する携帯無線電話装置と、この携帯無線電話装置を接続してファクシミリデータが送受されるファクシミリ装置とからなる携帯型通信装置であって、
前記携帯無線電話装置は、
前記電池の電圧を検出する電圧検出手段と、
前記電圧検出手段で検出された電池電圧を前記ファクシミリデータの残り受信可能時間に換算する換算手段と、
前記換算手段により換算された残り受信可能時間を送信側に伝送する伝送手段とを備え、
前記ファクシミリ装置は、前記ファクシミリデータを受信するときに、前記携帯無線電話装置から前記電池の残り受信可能時間を送信側に伝送させる制御手段と、
前記ファクシミリデータを送信するときに受信側から送信される前記残り受信可能時間と前記ファクシミリデータの伝送速度とに基づいて受信側の受信可能原稿枚数を判断する判断手段と、
前記判断手段により判断された受信可能原稿枚数以下の原稿のデータを送信する送信制御手段とを備えたことを特徴とする携帯型通信装置。
【請求項２】
前記換算手段は、前記電池の電圧と前記残り受信可能時間との関係を示すデータを記憶した不揮発性メモリを有し、このデータを用いて前記電圧検出手段で検出された電圧を残り受信可能時間に換算することを特徴とする請求項１に記載の携帯型通信装置。
【請求項３】
前記ファクシミリ装置は、前記判断手段で判断された受信側の受信可能原稿枚数を表示する表示手段を更に備えることを特徴とする請求項１又は２に記載の携帯型通信装置。
【発明の詳細な説明】
【０００１】
【発明の属する技術分野】
本発明は、電池を電源として作動し、画像通信可能な携帯型通信装置に関するものである。
【０００２】
【従来の技術】
電池を電源として作動する携帯型通信装置においては、電池切れが生じると、通信が途切れてしまう。
【０００３】
たとえば、携帯無線電話装置にファクシミリ装置を接続して画像通信を行う場合、ファクシミリデータの受信中に携帯無線電話装置の電池切れが生じると、通信が途切れ、頁の途中で受信が停止してしまう。
【０００４】
そこで従来、たとえば特開平５−９５４３８号公報に記載されているように、電池の残容量が一定以下に低下したことをブザーやＬＥＤ表示によって報知する携帯型通信装置が提案されている。
【０００５】
【発明が解決しようとする課題】
しかし、上記従来の携帯型通信装置では、通話中であれば話を手短に済ませるなどの対処が可能であるが、画像通信の場合、受信中に電池切れを報知されても、使用者にとって対処のしようがなかった。このため、頁の途中で受信が停止してしまうという問題は何ら解決されず、送信側から見れば、送信可能になった後に、途中で送信が途切れた頁の全体を再度送信し直す必要があり、時間および課金料金の無駄使いであった。
【０００６】
本発明は、このような事情のもとで考え出されたものであって、電池の残容量に関する情報を送信側に伝送できる携帯型通信装置を提供することを目的としている。
【０００７】
【課題を解決するための手段】
上記目的を達成するため、請求項１に記載した発明の携帯型通信装置は、電池を電源として作動する携帯無線電話装置と、この携帯無線電話装置を接続してファクシミリデータが送受されるファクシミリ装置とからなる携帯型通信装置であって、携帯無線電話装置は、電池の電圧を検出する電圧検出手段と、電圧検出手段で検出された電池電圧をファクシミリデータの残り受信可能時間に換算する換算手段と、換算手段により換算された残り受信可能時間を送信側に伝送する伝送手段とを備え、ファクシミリ装置は、ファクシミリデータを受信するときに、携帯無線電話装置から電池の残り受信可能時間を送信側に伝送させる制御手段と、ファクシミリデータを送信するときに受信側から送信される残り受信可能時間とファクシミリデータの伝送速度とに基づいて受信側の受信可能原稿枚数を判断する判断手段と、判断手段により判断された受信可能原稿枚数以下の原稿のデータを送信する送信制御手段とを備えている。
【０００８】
また、請求項２に記載した発明の携帯型通信装置は、請求項１記載の携帯型通信装置であって、換算手段は、電池の電圧と残り受信可能時間との関係を示すデータを記憶した不揮発性メモリを有し、このデータを用いて電圧検出手段で検出された電圧を残り受信可能時間に換算するものである。
【０００９】
【００１０】
また、請求項３に記載した発明の携帯型通信装置は、請求項１又は２に記載の携帯型通信装置であって、ファクシミリ装置は、判断手段で判断された受信側の受信可能原稿枚数を表示する表示手段を更に備えるものである。
【００１１】
【発明の実施の形態】
以下、本発明の好ましい実施の形態を、図面を参照しつつ具体的に説明する。
【００１２】
図１は、本発明に係る携帯型通信装置の回路ブロック図であって、この携帯型通信装置は、携帯無線電話装置１と、ファクシミリ装置２とを備えている。携帯無線電話装置１は、無線回路３、通話回路４、制御部５、操作部６、表示部７、電池８、電池電圧検出部９、ＥＥＰＲＯＭ１０、アンテナ１１、ファクシミリ装置接続用インターフェイス１２、マイクロホン１３、およびスピーカ１４を備えている。ファクシミリ装置２は、読み取り部１６、記録部１７、操作部１８、制御部１９、モデム２０、メモリ２１、および符号／復号化処理部２３などを備えている。
【００１３】
携帯無線電話装置１は、電池８を電源としており、他の携帯無線電話装置などと無線により情報の授受を行う。ファクシミリ装置２は、携帯無線電話装置１を利用して他のファクシミリ装置などと画像通信を行う。このファクシミリ装置２は、電池を電源とするものであってもよいし、商用電源を電源とするものであってもよい。無線回路３は、アンテナ１１との間で無線周波信号の授受を行う。通話回路４は、マイクロホン１３やスピーカ１４との間で音声信号の授受を行う。制御部５は、マイクロコンピュータなどを備えており、携帯無線電話装置１全体を制御する。操作部６は、キースイッチ群などからなり、使用者の操作に応じた信号を制御部５に出力する。表示部７は、液晶表示装置などを備えており、制御部５により制御されて、各種の表示を行う。電池８は、携帯無線電話装置１の電源である。電池８は、乾電池でも充電可能なバッテリパックでもよい。電池電圧検出部９は、電池８の電圧を検出する。ＥＥＰＲＯＭ１０は、電池８の電圧と残り受信可能時間との関係などを記憶している。アンテナ１１は、電波と無線周波信号との間の変換を行う。ファクシミリ装置接続用インターフェイス１２は、ファクシミリ装置２との接続のためのインターフェイスであって、所定のケーブル２２によりファクシミリ装置２のモデム２０に接続されている。マイクロホン１３は、使用者の音声を電気信号に変換する。スピーカ１４は、電気信号を音声に変換する。
【００１４】
読み取り部１６は、ＣＣＤなどを備えており、原稿を読み取ってそれに応じた画信号を出力する。記録部１７は、レーザプリンタあるいはサーマルプリンタなどを備えており、受信データを復号化した画信号に基づいて文字や図形などを記録用紙上に記録する。操作部１８は、キースイッチ群などからなり、使用者の操作に応じた信号を制御部１９に出力する。制御部１９は、マイクロコンピュータなどを備えており、ファクシミリ装置２全体を制御する。モデム２０は、送信データの変調や受信データの復調を行う。メモリ２１は、ＲＡＭなどにより構成されており、各種のデータなどを記憶する。符号／復号化処理部２３は、受信データの復号化処理や送信データの符号化処理を行う。
【００１５】
次に上記のように構成された携帯型通信装置の受信処理動作および送信処理動作について、図２および図３のフローチャートを参照しながら説明する。なお、図２が受信処理動作を示し、図３が送信処理動作を示している。また、ここでは、上記のように構成された携帯型通信装置同士が画像通信を行う場合について述べる。
【００１６】
受信側の携帯型通信装置においては、先ず携帯無線電話装置１の制御部５が、無線回路３からの情報に基づいて、送信側の携帯型通信装置からの呼び出しがあるか否かを判断し（Ｓ１）、呼び出しがあれば（Ｓ１：ＹＥＳ）、回線を接続し（Ｓ２）、ファクシミリ通信であるか否かを判断する（Ｓ３）。ファクシミリ通信であれば（Ｓ３：ＹＥＳ）、ファクシミリ装置２を制御上接続（ハード的な意味ではない。）し、制御をファクシミリ装置２の制御部１９に渡す（Ｓ４）。次に、ファクシミリ装置２の制御部１９が、受信可能か否かを判断する（Ｓ５）。すなわち、ファクシミリ装置２が、記録部１７により受信データを記録可能な状態か、あるいは受信データをメモリ２１に記憶させるメモリ代行受信が可能な状態であれば、受信可能であると判断する。
【００１７】
受信可能であれば（Ｓ５：ＹＥＳ）、ファクシミリ装置２の制御部１９が、携帯無線電話装置１の制御部５に、送信側への残り受信可能時間の伝送を依頼し、これにより携帯無線電話装置１の制御部５が、残り受信可能時間を送信側に伝送する（Ｓ６）。すなわち、携帯無線電話装置１の制御部５が、電池８の電圧を検出する電池電圧検出部９からの検出電圧を読み取って、その検出電圧に基づいてＥＥＰＲＯＭ１０を検索し、検出電圧に対応する残り受信可能時間を読み出して、それを送信側に伝送する。電池８の残容量と電圧との関係は、実験的に求めることができ、また、電池８の残容量と残り受信可能時間、すなわち電池切れが起こるまでの受信動作継続可能時間との関係も実験的に求めることができるので、電池８の電圧と残り受信可能時間との関係も予め求めることができる。そこで、電池８の電圧と残り受信可能時間との関係を、電池８の電圧を用いて検索できるように、テーブルの形式でＥＥＰＲＯＭ１０に記憶させている。したがって、電池電圧検出部９からの検出電圧により残り受信可能時間を知ることができるのである。なお、電池８の電圧と残り受信可能時間との関係を数式化し、それをＥＥＰＲＯＭ１０に記憶させておいて、電池８の電圧から残り受信可能時間を演算するようにしてもよい。
【００１８】
次に、送信側からのファクシミリデータを受信する（Ｓ７）。すなわち、ファクシミリ装置２の制御部１９が、送信側からの受信データをメモリ２１に蓄積し、符号／復号化処理部２３を用いて復号化し、その画データを記録部１７に印刷させる。あるいは、メモリ代行受信が可能な状態であれば、送信側からの受信データをメモリ２１に格納する。このようにメモリ代行受信によりメモリ２１に格納された受信データは、記録部１７により印刷可能になれば、すぐに印刷される。
【００１９】
印刷あるいはメモリ代行受信が終了すれば、ファクシミリ装置２の制御部１９が、携帯無線電話装置１の制御部５に回線の切断を要求する。これにより携帯無線電話装置１の制御部５が、回線を切断し（Ｓ８）、処理を終了する。
【００２０】
なお、Ｓ５において、受信可能でなければ（Ｓ５：ＮＯ）、Ｓ８に進んで回線を切断した後、別の処理に移行する。
【００２１】
また、Ｓ３において、ファクシミリ通信でなければ（Ｓ３：ＮＯ）、携帯無線電話装置１の制御部５が通話処理を行い（Ｓ９）、通話が終了すればＳ８に進んで回線を切断する。
【００２２】
また、Ｓ１において、送信側からの呼び出しがなければ（Ｓ１：ＮＯ）、Ｓ１に戻る。すなわち、送信側からの呼び出しがあるまで待機状態になる。
【００２３】
送信側の携帯型通信装置においては、先ず、使用者がファクシミリ装置２の操作部１８を操作して受信側のファクシミリ番号を入力すれば、ファクシミリ装置２の制御部１９が、携帯無線電話装置１の制御部５に、受信側のファクシミリ番号に応じた信号をアンテナ１１から送出させる（Ｓ１１）。次に、ファクシミリ装置２の制御部１９が、受信側に着信したか否かを判断し（Ｓ１２）、着信後（Ｓ１２：ＹＥＳ）、受信側からの情報を受けて、送信データの送信速度を決定する（Ｓ１３）。次に、ファクシミリ装置２の制御部１９が、受信側から残り受信可能時間に関する情報を受け取ったか否かを判断し（Ｓ１４）、受け取っていれば（Ｓ１４：ＹＥＳ）、受信側の受信可能原稿枚数を演算する（Ｓ１５）。すなわち、受信側の受信可能時間と送信データの送信速度とから、受信側が電池切れにより受信不可能になるまでに受信可能なデータ量を演算できる。送信データ量は符号化すると原稿によってデータ量が異なるため受信可能枚数を演算できないので、１頁分の標準原稿を先に読み込むことによりある程度の概算が可能となる。
【００２４】
次に、ファクシミリ装置２の制御部１９が、ファクシミリ装置２の表示部（図示せず）の表示画面上に、受信側の受信可能原稿枚数を表示する（Ｓ１６）。これにより使用者は、たとえば受信側の受信可能原稿枚数が希望送信枚数と比べてあまりにも少ないような場合、操作部１８を操作して送信を取り消す。
【００２５】
使用者により送信取消などの操作がなされない場合、ファクシミリ装置２の制御部１９が、受信側の受信可能原稿枚数をＭとし（Ｓ１７）、Ｍが１以上であるか否かを判断する（Ｓ１８）。Ｍが１以上であれば（Ｓ１８：ＹＥＳ）、少なくとも１頁分は送信可能であるので、ファクシミリ装置２の制御部１９が、１頁の原稿を読み取り部１６に読み取らせ、その画データを、メモリ２１を用いて符号化し、携帯無線電話装置１の制御部５に送信させる（Ｓ１９）。１頁の送信が終了すれば、受信可能原稿枚数は当然１頁分だけ減っているので、ファクシミリ装置２の制御部１９が、Ｍを１だけ減じ（Ｓ２０）、送信原稿があるか否かを判断する（Ｓ２１）。送信原稿がなければ（Ｓ２１：ＮＯ）、携帯無線電話装置１の制御部５に回線を切断させて（Ｓ２２）、処理を終了する。
【００２６】
Ｓ２１において、送信原稿が存在していれば（Ｓ２１：ＹＥＳ）、Ｓ１８に戻ってＭが１以上であれば次の１頁の原稿を送信する。
【００２７】
Ｓ１８において、Ｍが１以上でなければ（Ｓ１８：ＮＯ）、既に受信側の受信可能原稿枚数分の原稿を送信したということであり、次の頁の原稿を送信すれば、受信側の携帯無線電話装置１の電池切れにより頁の途中で送信が停止してしまうので、Ｓ２２に進んで回線を切断させる。
【００２８】
Ｓ１４において、受信側から残り受信可能時間に関する情報を受け取っていなければ（Ｓ１４：ＮＯ）、Ｓ１４に戻って受信側から残り受信可能時間に関する情報を受け取るのを待つ。
【００２９】
Ｓ１２において、受信側に着信していなければ（Ｓ１２：ＮＯ）、Ｓ１１に戻って発呼を継続し、着信するのを待つ。なお、一定時間経過しても着信しなければ、発呼を停止させ、必要に応じてリダイヤルする。
【００３０】
このように、受信時に、電池８の電圧を電池電圧検出部９により検出し、その検出電圧に基づいてＥＥＰＲＯＭ１０を検索することにより残り受信可能時間を読み出し、それを送信側に伝送するので（Ｓ５）、送信側で、たとえば使用者の操作に基づいて送信を取り止めるとか、頁の途中で送信が停止しない枚数分だけ原稿を送信するとかの、適切な処理を施すことができる。
【００３１】
また、電池８の電圧と残り受信可能時間との関係をＥＥＰＲＯＭ１０に記憶させておき、受信時に、電池電圧検出部９により電池８の電圧を検出し、その検出電圧とＥＥＰＲＯＭ１０の記憶内容とから残り受信可能時間を判断するので、残り受信可能時間の演算処理などが不要であり、制御部５の負荷を軽減できると共に、正確に受信可能時間を求めることができる。しかも、ＥＥＰＲＯＭ１０は不揮発性メモリであるので、電池８の電池切れが起こっても記憶内容が消失することはない。
【００３２】
また、送信時に、受信側からの残り受信可能時間と、受信側とのデータ伝送速度とに基づいて、受信側の受信可能原稿枚数を演算し（Ｓ１５）、その受信可能原稿枚数を越える原稿を送信しないようにしたので（Ｓ１８〜Ｓ２２）、頁の途中で受信側の携帯無線電話装置１の電池８の残容量がなくなって受信が停止するようなことがない。したがって、受信側で途中で受信が停止した頁の全部を送信側で再度送信し直す必要がなく、時間や課金料金の無駄使いをなくすことができる。
【００３３】
また、受信側の受信可能原稿枚数を送信側の表示部で表示するので（Ｓ１６）、使用者が送信するか否かなどの判断を行うことができ、たとえば、受信側の受信可能原稿枚数が希望送信枚数と比べてあまりにも少ないような場合、操作部１８を操作して送信を取り消すというようなことが可能になる。
【００３４】
なお、上記実施形態では、携帯無線電話装置１とファクシミリ装置２とを接続してなる携帯型通信装置について説明したが、携帯型のファクシミリ装置からなる携帯型通信装置に対しても本発明を適用できることはもちろんである。
【００３５】
【発明の効果】
以上説明したように請求項１に記載した発明の携帯型通信装置によれば、ファクシミリ装置は、ファクシミリデータを受信するときに、携帯無線電話装置に当該携帯無線電話装置の電池の電圧を検出し、その検出電圧をファクシミリデータの残り受信可能時間に換算して送信側に伝送させるので、送信側で受信側の残り受信可能時間を知ることができる。したがって、受信側の残り受信可能時間が短いような場合、それに応じて、送信側で各種の対処が可能になる。例えば送信を取りやめるとか、頁の途中で送信が停止しない枚数分だけ原稿を送信するとかの適切な処理を行うことができる。更に、送信時に、受信側からの残り受信可能時間と、受信側とのデータ伝送速度とに基づいて、受信側の受信可能原稿枚数を判断し、その受信可能原稿枚数以下の原稿のデータを送信するようにしたので、受信側で電池切れにより頁の途中で受信が停止するということがない。したがって、受信側で途中で受信が停止した頁の全部を送信側で再度送信し直す必要がなく、時間や課金料金の無駄使いをなくすことができる。
【００３６】
また、請求項２に記載した発明の携帯型通信装置によれば、換算手段は、不揮発性メモリに記憶されたデータを用いて検出電圧を残り受信可能時間に換算するので、電池の電圧から複雑な数式を用いて残り受信可能時間を演算するなどの処理が不要であり、ＣＰＵの負荷を軽減できると共に、残り受信可能時間を正確に判断できる。また、不揮発性メモリに記憶させるので、電池切れにより記憶内容が消失するということがない。
【００３７】
【００３８】
また、請求項３に記載した発明の携帯型通信装置によれば、ファクシミリ装置は、受信側の受信可能原稿枚数を表示する表示手段を有するので、送信側で使用者が送信するか否かなどの判断を行うことができる。たとえば、受信側の受信可能原稿枚数が希望送信枚数と比べてあまりにも少ないような場合、送信を取り消すというようなことが可能になり、たいへん便利である。
【図面の簡単な説明】
【図１】  本発明に係る携帯型通信装置の回路ブロック図である。
【図２】  本発明に係る携帯型通信装置の受信処理動作を説明するフローチャートである。
【図３】  本発明に係る携帯型通信装置の送信処理動作を説明するフローチャートである。
【符号の説明】
１  携帯無線電話装置
２  ファクシミリ装置
５  制御部
８  電池
９  電池電圧検出部
１０  ＥＥＰＲＯＭ
１９  制御部
【図１】
0003680387.tif 000002
【図２】
0003680387.tif 000003
【図３】
0003680387.tif 000004